(57)【要約】【課題】商品見本の列に対して表示する商品情報の切り替えを確実に行うことが可能な自動販売機の商品表示装置を提供することを目的とする。【解決手段】列を成す複数の商品見本６と、冷温パターンを表面に表示した冷温パターン表示体１００と、複数の商品見本６の配列方向に沿って冷温パターン表示体１００を送り移動させるための駆動プーリ５２とを備え、駆動プーリ５２により冷温パターン表示体１００を送り移動させて、複数の商品見本６に対して表示する冷温パターンを切り替えるようにした自動販売機の商品表示装置であって、冷温パターン表示体１００に角穴１０１を設ける一方、駆動プーリ５２に歯１１０を設け、駆動プーリ５２により冷温パターン表示体１００を送り移動させる際に、角穴１０１に歯１１０が順次挿通するように構成した。【選択図】      図２
2004178543.tif 000002
【特許請求の範囲】
【請求項１】
列を成す複数の商品見本と、商品情報を付した表示体と、前記複数の商品見本の配列方向に沿って前記表示体を送り移動させるための送り手段とを備え、前記送り手段により前記表示体を送り移動させて、前記複数の商品見本に対して表示する商品情報を切り替えるようにした自動販売機の商品表示装置であって、
前記表示体および前記送り手段の一方に係合突起部を設ける一方、他方に係合穴を設け、前記送り手段により前記表示体を送り移動させる際に、前記係合穴に前記係合突起部が順次挿通するように構成したことを特徴とする自動販売機の商品表示装置。
【請求項２】
前記係合穴は、その縁が円弧形状を有して閉じたものであることを特徴とする請求項１に記載の自動販売機の商品表示装置。
【請求項３】
前記係合穴は、円形を成すことを特徴とする請求項２に記載の自動販売機の商品表示装置。
【請求項４】
前記表示体は、無端状を成し、
前記送り手段は、前記表示体の内周面側に回動可能に位置し、その回動により前記表示体を周回させることを特徴とする請求項１〜３のいずれか一つに記載の自動販売機の商品表示装置。
【請求項５】
前記送り手段を回動させるための動力を発生する駆動源をさらに備えたことを特徴とする請求項４に記載の自動販売機の商品表示装置。
【発明の詳細な説明】
【０００１】
【発明の属する技術分野】
この発明は、自動販売機の商品表示装置に関する。
【０００２】
【従来の技術】
飲料等の商品を販売する自動販売機には、列を成す複数の商品見本に対して、商品の冷蔵，温蔵状態を表す冷温パターンを商品情報として切り替え可能に表示する商品表示装置を備えるものがある（例えば、特許文献１参照）。
【０００３】
この自動販売機におけるディスプレイ台には、その左右両端の個々に配設したプーリ（送り手段）に、無端状の冷温パターン表示体（表示体）が張架してある。冷温パターン表示体の外周面には、その周方向の半周ごとに、庫内に収納した商品の冷蔵状態を表す冷パターンおよび温蔵状態を表す温パターンが区分して付してある。各プーリは、表示体を支持した状態で回動可能であり、その回動により当該表示体を送り移動するように構成してある。
【０００４】
上記商品表示装置では、冷温パターン表示体においてディスプレイ台の前面側に左右に延在する部分によって、商品見本の列に対して冷温パターンを表示可能であり、しかも各プーリの回動による表示体の周回によって、商品見本の列に対して表示する冷温パターンを切り替え可能である。このため、この商品表示装置を備えた自動販売機によれば、冷温パターン表示体そのものを変更したり交換することなく、商品見本の列に対して表示する商品情報を切り替えることができるので、メンテナンスを行う上で有利なものとなる。
【０００５】
【特許文献１】
実開平２−２３７８６号公報（第４項、第１図）
【０００６】
【発明が解決しようとする課題】
しかしながら、上述した自動販売機の商品表示装置では、プーリと冷温パターン表示体との間に滑りが発生した場合に、冷温パターンの切り替えに支障を来たす虞れがある。
【０００７】
具体的には、プーリの回動に際して当該プーリと冷温パターン表示体との間に滑りが発生した場合に、冷温パターン表示体の送り移動量がプーリの回動量に対応する所定のものよりも小さくなってしまうので、冷温パターンの切り替えに支障を来たす虞れがある。
【０００８】
この発明は、上記実情に鑑みてなされたものであって、商品見本の列に対して表示する商品情報の切り替えを確実に行うことが可能な自動販売機の商品表示装置を提供することを目的とする。
【０００９】
【課題を解決するための手段】
上記の目的を達成するために、本発明の請求項１に係る自動販売機の商品表示装置は、列を成す複数の商品見本と、商品情報を印刷した表示体と、前記複数の商品見本の配列方向に沿って前記表示体を送り移動させるための送り手段とを備え、前記送り手段により前記表示体を送り移動させて、前記複数の商品見本に対して表示する商品情報を切り替えるようにした自動販売機の商品表示装置であって、前記表示体および前記送り手段の一方に係合突起部を設ける一方、他方に係合穴を設け、前記送り手段により前記表示体を送り移動させる際に、前記係合穴に前記係合突起部が順次挿通するように構成したことを特徴とする。
【００１０】
また、本発明の請求項２に係る自動販売機の商品表示装置は、上記請求項１において、前記係合穴は、その縁が円弧形状を有して閉じたものであることを特徴とする。
【００１１】
また、本発明の請求項３に係る自動販売機の商品表示装置は、上記請求項２において、前記係合穴は、円形を成すことを特徴とする。
【００１２】
また、本発明の請求項４に係る自動販売機の商品表示装置は、上記請求項１〜３のいずれか一つにおいて、前記表示体は、無端状を成し、前記送り手段は、前記表示体の内周面側に回動可能に位置し、その回動により前記表示体を周回させることを特徴とする。
【００１３】
また、本発明の請求項５に係る自動販売機の商品表示装置は、上記請求項１〜４のいずれか一つにおいて、前記送り手段を回動させるための動力を発生する駆動源をさらに備えたことを特徴とする。
【００１４】
【発明の実施の形態】
この発明にかかる光透過材料からなる無端の冷温パターン表示体（表示体）は、少なくとも半周の長さがディスプレイ台に載置された一列分の商品見本に対応した長さを有し、半周ごとに冷温のパターン、すなわち、白抜きの「ＨＯＴ」（または「あたたかい」）の文字の背景色が暖色（赤色）に、白抜きの「ＣＯＬＤ」（または「つめたい」）の文字の背景色が寒色（青色）にそれぞれ印刷されている。この無端の冷温パターン表示体が架け渡される回動駆動手段（送り手段）は、モータに連結された駆動部材（例えば、駆動プーリ）と従動部材（例えば、従動プーリ）からなり、モータ（駆動源），駆動プーリ，従動プーリはディスプレイ台に取付けられる。この場合、駆動プーリ，従動プーリは架け渡された冷温パターン表示体における少なくとも半周分がディスプレイ台の前面に現れるように設置される。これにより、ディスプレイ室の前方からディスプレイ台に載置された一列分の商品見本に対応した冷温パターンが目視可能である。そして、モータを駆動することにより冷温パターン表示体は駆動プーリ，従動プーリの間を周回してディスプレイ台の前面に現れる冷温パターンが変更される。
【００１５】
この発明に係る制御手段はＣＰＵにより構成されている。庫内における各商品収納室の冷却／加熱ユニットは外扉の裏面に設けられた冷温販売モード設定スイッチまたは外部のリモートコントロールから発信される販売モード設定信号により制御され、冷温販売モード信号が「ＣＯＬＤ」の場合には冷却ユニットが作動し、冷温販売モード信号が「ＨＯＴ」の場合には加熱ユニットが作動する。前記制御手段はその冷温販売モード信号を一つの入力として回転駆動手段のモータを所定方向に駆動する。冷温パターン表示体には基準点（例えば、冷温パターン表示体に形成した孔）を設け、前記モータの駆動による冷温パターン表示体の周回によってその基準点を検知するスイッチ（例えば、光電センサ）を設け、このスイッチの作動により基準位置信号が制御手段に入力される。このスイッチからの基準位置信号を入力した制御手段はモータの駆動を停止する。制御手段は前記冷温販売モード信号が入力されると同時に冷温パターン表示体が基準位置から冷温販売モード信号に対応する位置まで周回されるためのモータへの通電時間を演算しており、基準位置信号の入力により停止したモータに所定の駆動指令を出力してモータを作動させる。これにより冷温パターン表示体は冷温販売モード信号による庫内における商品収納室の冷温の切り替えに連動して自動的に対応する商品見本の冷温状態を表示する。
【００１６】
（実施例）
以下、この発明にかかる自動販売機の商品表示装置の実施の形態につき図面を参照しつつ詳細に説明する。なお、この実施の形態によりこの発明が限定されるものではない。
【００１７】
図１は、この発明の実施の形態にかかる商品表示装置を搭載したディスプレイ台の斜視図、図２は図１の平面断面図、図３は図１の側面断面図、図４は冷温パターン表示体の概略図、図５は制御手段のブロック図、図６は制御手段の動作を示すフローチャート、図７は本発明の実施対象となる自動販売機の外観図である。
【００１８】
まず、図７に示した本発明の実施対象となる自動販売機の構成について説明する。図において、１は前面が開放した断熱筐体として形成されるとともに庫内が仕切壁により左右に複数の商品収納室に区分され、その各室に缶，壜，ペットボトルなどの商品を収納した商品ラックを収設するとともに各商品収納室の下部に冷却／加熱ユニットを配備して各商品収納室を冷却若しくは加熱して商品ラックに収納した商品を冷蔵，温蔵状態に保存する本体キャビネット、２は本体キャビネット１の前面に開閉可能に取付けられた外扉である。この外扉２の上部域にはディスプレイ室４が形成され、このディスプレイ室４は前面が透明板３で覆われ、背面が外扉２に開閉可能に取付けられた中扉との間に形成されている。この中扉には、複数の商品見本６を左右に並べて一列に載置したディスプレイ台５が上下方向に複数段、この場合には３段に並べて設置されており、中扉を外扉２と一体になるように閉じた際に、自動販売機の前面からディスプレイ室４内の商品見本６が透明板３を介して透視される。７は透明板３に取付けられ、各商品見本６に対応して設けられた商品選択ボタンであり、８はポスターなどを展示する広告部である。なお、前記外扉２の前面には、周知のように、硬化投入口，紙幣投入口，金銭返却レバー，釣銭返却口，商品取出口，ロック付きハンドルなどが設けられている。
【００１９】
図１において、５で再びディスプレイ台を示し、このディスプレイ台５は下面が開放するとともに前面が左右の一部を残して開放した横長の箱形に形成されている。このディスプレイ台５の内部には、図２，図３に示すように、蛍光灯２３が配設され、この蛍光灯２３は左右一対のソケット取付金具２１に取付けられたソケット２２に装着されている。図３に示すように、ソケット取付金具２１は側面から見てＬ字状に形成された一方の脚片２１Ａにソケット２２が取付けられ、また、他方の脚部２１Ｂがディスプレイ室の背面壁を構成する中扉２０にねじ２４により固着されている。この左右一対のソケット取付金具２１を覆うようにディスプレイ台５が配設され、このディスプレイ台５は背面に切り起こしにより形成された係止片５８を中扉２０の穴に係止させることにより中扉２０に取付けられている。１００は本発明に係る冷温パターン表示体であり、図では冷温を表す「つめたい」「あたたかい」などの文字は省略している。この冷温パターン表示体１００の取付けについては次の段落で説明する。なお、前記ディスプレイ台５には、従来装置と同様に、商品見本６がその上面に形成した孔に係合して装着され、商品見本６はディスプレイ台５の上面に左右方向に一列に並べて載置されている。
【００２０】
図２に示すように、前記ディスプレイ台５の内部には、上面から見てその四隅に無端の冷温パターン表示体（表示体）１００が架け渡される駆動部材としての歯付き駆動プーリ５２（以下、単に駆動プーリと呼ぶこともある）および従動部材としての従動プーリ５３，５４，５５が設けられ、前記駆動プーリ５２は減速歯車機構５６を介してパルスモータ（駆動源）５１（図では従動プーリ５３に隠れて見えない）に連結されている。これらパルスモータ５１，駆動プーリ５２，従動プーリ５３〜５５は回転駆動手段（送り手段）を構成し、それぞれディスプレイ台５に取付けられている。そして、駆動プーリ５２および従動部材としての従動プーリ５３，５４，５５に架け渡された冷温パターン表示体１００はディスプレイ台５の内壁に添って周回するよう配備される。なお、従動プーリ５３〜５５には冷温パターン表示体１００にテンションを付与する機構が設けられているが、図では省略している。
【００２１】
前記駆動プーリ５２および従動プーリ５３〜５５に架け渡される無端の冷温パターン表示体１００は透光性のフィルムからなり、図４に示すように、周方向に沿って自動販売機の庫内における商品収納室に収納された商品の温蔵，冷蔵状態を表す白抜きの「つめたい」「あたたかい」の文字および「つめたい」の文字の背景色が寒色（青色）Ｂに、「あたたかい」の文字の背景色が暖色（赤色）Ｒに印刷された冷温パターンが表示されている。なお、図４では「つめたい」の文字が印刷された面が見えているが、その背面に「あたたかい」の文字が印刷されているものである。また、冷温パターン表示体１００には「つめたい」「あたたかい」の文字の下段に商品価格を表す価格表示ＳＰが印刷により施されているとともに上下の縁には周方向に沿って一定間隔で穿孔された角穴（係合孔）１０１が設けられ、この角穴１０１が駆動プーリ５２の歯（係合突起部）と噛み合わされる。なお、この実施例では角穴１０１が上下の縁に形成されているものについて示しているが、下側のみに形成してもよく、この場合には図３から明らかなように、透明板３に取付けられた商品選択ボタン７の背後に位置することから自動販売機の前方からは商品選択ボタン７に隠れて見えないので、体裁を整えることができる。なお、この実施例において、上側の縁に形成した角穴１０１を隠すため、ディスプレイ台５の前面の角穴１０１に対応する位置に桟を形成することもできる。また、角穴１０１は、後で詳述するが、丸穴とすることもできる。
【００２２】
前記冷温パターン表示体１００の冷温パターンは、ディスプレイ台５に載置された一列分の商品見本６に対応した冷温パターン（商品情報）がそれぞれ表示されている。すなわち、ディスプレイ台５に載置された商品見本６のすべてが冷蔵状態である場合および商品見本６のすべてが温蔵状態である場合に対応して「つめたい」の連続パターンと「あたたかい」の連続パターンとして冷温パターンが表示されている。したがって、この無端の冷温パターン表示体１００は駆動プーリ５２がパルスモータ５１により駆動されることによりディスプレイ台５の周りを周回し、ディスプレイ台５に載置した商品見本６のすべてが冷温状態である「つめたい」の表示、ディスプレイ台５に載置した商品見本６のすべてが温蔵状態である「あたたかい」の表示や、例えば、ディスプレイ台５に１０個の商品見本６が載置されており、左側の５個が温蔵状態、右側の５個が冷温状態の場合にはディスプレイ台５の中央に「あたたかい」の連続パターンと「つめたい」の連続パターンの境界が位置し、左側に「あたたかい」，右側に「つめたい」の冷温パターンが表示される。冷温パターン表示体１００の冷温パターンおよび価格表示はディスプレイ台５の内部に配備された蛍光灯２３により「あたたかい」または「つめたい」の文字および背景色が明るく表示される。
【００２３】
前記冷温パターン表示体１００における「あたたかい」の連続パターンと「つめたい」の連続パターンの境界には基準点を表す基準位置孔１０２が穿孔されており、この基準位置孔１０２を検出する基準位置検出器として反射型光電スイッチ５７（図２参照）が設けられている。この光電スイッチ５７の基準位置信号は、庫内における各商品収納室に収納された商品の温蔵状態もしくは冷蔵状態を設定する冷温販売モード設定スイッチまたは外部からのリモートコントロールから発信される販売モード設定信号に連動して冷温パターン表示体１００を周回させ、ディスプレイ台５に載置された商品見本６の冷温状態を自動的に切り替えるために後述する制御手段に入力される。
【００２４】
なお、冷温パターン表示体１００の基準位置を検出する手段としては、冷温パターン表示体１００に穿孔した基準位置孔１０２をマイクロスイッチで検出する方法や、冷温パターン表示体１００に磁性材料を貼着してリードスイッチ，マグネットスイッチで検出する方法などがあり、前記した実施例に限定されるものではない。
【００２５】
図５はパルスモータ５１を制御する制御手段のブロック図であり、制御手段６０はＣＰＵにより構成されている。この制御手段６０には、庫内における各商品収納室に収納された商品の温蔵状態もしくは冷蔵状態を設定する外扉の裏面に設けた冷温販売モード設定スイッチまたは外部のリモートコントローラから発信される冷温販売モード信号が入力されるとともに冷温パターン表示体１００の基準点を検出する光電スイッチ５７からの基準位置信号が入力される。また、制御手段６０には駆動回路５１ａを介してパルスモータ５１が接続されている。
【００２６】
次に、図６のフローチャートを用いて制御手段６０の制御手順を説明するとともに冷温パターン表示体１００の冷温パターンの切り替えについて説明する。なお、このフローチャートは通常の販売モードでは起動されず、設定モードにおいて起動されるものである。
【００２７】
図６のフローチャートが起動されると制御手段６０はステップＳ１において販売モード設定信号の入力の有無を判断する。販売モード設定信号が入力されるとステップＳ１からステップＳ２に進んでパルスモータ５１を駆動する。このパルスモータ５１の駆動により駆動プーリ５２を介して冷温パターン表示体１００は駆動されて所定方向、例えば、図２において時計方向に周回を開始する。冷温パターン表示体１００が周回を開始するとステップＳ３では光電スイッチ５７からの入力信号を監視し、光電スイッチ５７から基準位置信号（光電スイッチ５７からの入力信号がＯＮからＯＦＦへ変化した時点）が入力するとステップＳ４に進んでパルスモータ５１の駆動を停止する。これによって冷温パターン表示体１００は「あたたかい」の連続パターンと「つめたい」の連続パターンの境界が光電スイッチ５７と対峙する位置、すなわち、基準位置に周回して停止する。
【００２８】
一方、販売モード設定信号が入力されてステップＳ１からステップＳ２に進むと同時にステップＳ５にも進む。ステップＳ５では販売モード設定信号に基づいて庫内における各商品収納室に収納された商品の温蔵状態もしくは冷蔵状態を判別する。そして、ステップＳ６に進んで販売モード設定信号に対応してディスプレイ台５に載置された商品見本６の冷温状態を表示するために冷温パターン表示体１００を周回させるパルスモータ５１への通電時間が演算される。次に、ステップＳ７においては、制御手段６０から駆動回路５１ａに出力される信号を監視してパルスモータ５１が停止したかどうかを判断し、パルスモータ５１の停止を待つ。ステップＳ７においてパルスモータ５１の停止が判別されるとステップＳ８に進み、ステップＳ６で演算したパルスモータ５１の通電時間に対応した駆動指令が駆動回路５１ａに出力されてパルスモータ５１が回転する。パルスモータ５１の回転により冷温パターン表示体１００が周回を開始し、パルスモータ５１への通電が終了すると冷温パターン表示体１００が所定の位置で周回を停止する。これにより、販売モード設定信号により設定された庫内における各商品収納室に収納された商品の温蔵状態もしくは冷蔵状態に対応してディスプレイ台５に載置された商品見本６の冷温状態が冷温パターン表示体１００により表示される。
【００２９】
前述した実施例においては、冷温パターン表示体１００における「あたたかい」の連続パターンと「つめたい」の連続パターンの境界に基準点を表す基準位置孔１０２を穿孔し、この基準位置孔１０２を基準位置検出器５７で検出するとともに販売モード設定信号に基づいて演算された通電時間によりパルスモータ５１を制御する制御方法について説明したが、冷温パターン表示体１００に、基準点に加えてそれぞれの冷温パターン（それぞれの「あたたかい」「つめたい」の文字）ごとに検知用孔を穿孔するとともにその検知用孔を検出する一つの位置検出器を設け、基準点に位置する冷温パターン表示体１００を周回させて位置検出器からの検出信号をカウントすることによりモータの動作を制御するようにすることもでき、要するに基準位置から設定位置に位置決めできるものであれば制御方法は限定されないものである。
【００３０】
また、冷温パターン表示体１００には「あたたかい」「つめたい」の文字および背景色に加えて価格表示ＳＰを印刷したものについて述べたが、この価格表示ＳＰとして価格が表示されたシールを貼着することもできる。また、冷温パターン表示体１００には価格表示を施さずに、ディスプレイ台５の開放した前面に桟を設け、この桟に価格が表示されたシールを貼着したり、前記桟に溝を形成して価格表示板を装着するようにすることもでき、また、価格表示ＳＰを透明とし、それぞれの背後に７セグメントのＬＥＤを個別に配置し、該ＬＥＤにより価格を表示することもできる。
【００３１】
ところで、前述した実施例における冷温パターン表示体１００の上下両縁には、上述したように、駆動プーリ５２の歯（係合突起部）と噛み合う角穴（係合穴）１０１が設けてある。図８は、冷温パターン表示体１００の角穴１０１に駆動プーリ５２の歯１１０が挿通した状態を例示するものである（図中、冷温を表す「つめたい」「あたたかい」などの文字および価格表示ＳＰを省略）。
【００３２】
冷温パターン表示体１００の角穴１０１は、冷温パターン表示体１００の周方向に沿って一定間隔で矩形状に穿孔したものである。この角穴１０１に挿通する駆動プーリ５２の歯１１０は、駆動プーリ５２の外周面上に一周に渡って、角穴１０１の配置間隔に対応させて複数配設してある。この歯１１０は、角穴１０１に対応するために、角柱状に形成され、しかもその横断面における縦横両方の長さが角穴１０１のものよりも小さく設定してある。
【００３３】
このように構成した駆動プーリ５２および冷温パターン表示体１００を適用した商品表示装置では、駆動プーリ５２の回動により冷温パターン表示体１００を送り移動（周回）させる際に、冷温パターン表示体１００の角穴１０１に駆動プーリ５２の歯１１０が順次挿通するようになる。したがって、前述した実施例では、駆動プーリ５２と冷温パターン表示体１００との間で滑りが発生した場合であっても、角穴１０１と歯１１０とが互いに係合することによって、駆動プーリ５２と冷温パターン表示体１００との間での滑り量を確実に規制することができる。このため、前述した実施例によれば、冷温パターン表示体１００の送り移動量が駆動プーリ５２の回動量に対応する所定のものとなるので、商品見本６の列に対して表示する商品情報の切り替えを確実に行うことが可能になる。
【００３４】
しかも、前述した実施例では、上述したように、冷温パターン表示体１００にテンション（張力）を付与する機構を設けているので、駆動プーリ５２に対する冷温パターン表示体１００の弛みを確実に防止することができる。したがって、前述した実施例によれば、冷温パターン表示体１００の角穴１０１に駆動プーリ５２の歯１１０を確実に挿通させることができるので、商品見本６の列に対して表示する商品情報の切り替えを一層確実に行うことが可能になる。
【００３５】
なお、前述した実施例では、冷温パターン表示体１００に矩形状の角穴１０１を設けているが、上述したように、角穴１０１の代わりに丸穴、つまり円形の穴を設けるようにしても良い。
【００３６】
図９は、前述した実施例の変形例として、冷温パターン表示体に丸穴を設けた場合のものを例示している（図中、冷温を表す「つめたい」「あたたかい」などの文字および価格表示ＳＰを省略）。図９に示すように、冷温パターン表示体１００Ａに丸穴１１２を設けた場合には、丸穴１１２に挿通する駆動プーリ５２Ａの歯１１１として、先細の円柱状に形成したものが用いられる。この駆動プーリ５２Ａの歯１１１は、駆動プーリ５２Ａの外周面上に一周に渡って、冷温パターン表示体１００Ａの丸穴１１２の配置間隔に対応させて複数配設してあり、個々の根元における直径が丸穴１１２のものよりも小さく設定してある。
【００３７】
このように構成した駆動プーリ５２Ａおよび冷温パターン表示体１００Ａを適用した商品表示装置では、駆動プーリ５２Ａの回動により冷温パターン表示体１００Ａを送り移動（周回）させる際に、冷温パターン表示体１００Ａの丸穴１１２に駆動プーリ５２Ａの歯１１１が順次挿通するようになる。したがって、本変形例では、駆動プーリ５２Ａと冷温パターン表示体１００Ａとの間で滑りが発生した場合であっても、丸穴１１２と歯１１１とが互いに係合することによって、駆動プーリ５２Ａと冷温パターン表示体１００Ａとの間での滑り量を確実に規制することができる。このため、本変形例によれば、冷温パターン表示体１００Ａの送り移動量が駆動プーリ５２Ａの回動量に対応する所定のものとなるので、前述した実施例と同様の効果が得られるようになる。
【００３８】
また、本変形例では、冷温パターン表示体１００Ａにおいて駆動プーリ５２Ａの歯１１１に挿通される係合穴（丸穴１１２）を円形に形成しているので、これら歯１１１および丸穴１１２が互いに係合して冷温パターン表示体１００Ａに歯１１１を通じての押圧力が作用した場合に、この押圧力に伴って冷温パターン表示体１００Ａに作用する応力を分散させることができる。しかも、本変形例において冷温パターン表示体１００Ａに作用する応力を分散させる効果は、冷温パターン表示体１００Ａに付与される張力に伴う応力に対しても同様に発揮される。これらにより、本変形例によれば、長期に渡って使用する場合であっても、冷温パターン表示体１００Ａにおいて応力集中に伴う裂傷等の損傷が生じる虞れがない。
【００３９】
なお、この変形例では、係合穴を円形に形成しているが、これに限定されるものではない。つまり、この係合穴としては、その縁が円弧形状を有して閉じたものであれば、上述したものと同様の効果を奏するようになるので、円形のものに限定されるものではない。例えば、駆動プーリに角柱状の係合突起部を設ける場合には、全体として矩形状を成す係合穴を冷温パターン表示体に設けざるを得ないが、当該係合孔として縁の四隅が円弧形状を成すものを適用すれば、上述したものと同様の効果を奏するようになる。
【００４０】
【発明の効果】
以上説明したように、本発明の請求項１に係る自動販売機の商品表示装置によれば、表示体および送り手段の一方に係合突起部を設ける一方、他方に係合穴を設け、前記送り手段により前記表示体を送り移動させる際に、前記係合穴に前記係合突起部が順次挿通するように構成したので、複数の商品見本に対して表示する商品情報の切り替えを確実に行うことが可能になる。
【００４１】
また、本発明の請求項２に係る自動販売機の商品表示装置によれば、係合穴は、その縁が円弧形状を有して閉じたものであるので、表示体における応力集中を抑えて前記表示体において裂傷等の損傷が生じる事態を確実に防止することが可能になる。
【００４２】
また、本発明の請求項３に係る自動販売機の商品表示装置によれば、係合穴は、円形を成すので、表示体における応力集中を確実に抑えることができる。
【００４３】
また、本発明の請求項４に係る自動販売機の商品表示装置によれば、表示体は、無端状を成し、送り手段は、前記表示体の内周面側に回動可能に位置し、その回動により前記表示体を周回させるので、前記送り手段の回動により前記表示体を周回させて、複数の商品見本に対して表示する商品情報の切り替えを行うことができる。
【００４４】
また、本発明の請求項５に係る自動販売機の商品表示装置によれば、送り手段を回動させるための動力を発生する駆動源をさらに備えたので、商品情報の切り替えに対する操作性を向上させることが可能になる。
【図面の簡単な説明】
【図１】この発明の実施の形態にかかる商品表示装置を搭載したディスプレイ台の斜視図である。
【図２】図１のディスプレイ台の平面断面図である。
【図３】図１のディスプレイ台の側面断面図である。
【図４】この発明の冷温パターン表示体の概略図である。
【図５】この発明の制御手段を示すブロック図である。
【図６】図５の制御手段の動作を示すフローチャートである。
【図７】この発明が対象とする自動販売機の正面図である。
【図８】この発明の冷温パターン表示体と駆動プーリとの関係を示す説明図である。
【図９】この発明の変形例における冷温パターン表示体と駆動プーリとの関係を示す説明図である。
【符号の説明】
５        ディスプレイ台
６        商品見本
５１      パルスモータ
５２      歯付き駆動プーリ（駆動部材）
５３〜５５      従動プーリ（従動部材）
５６      減速歯車機構
５７      基準位置検出器（反射型光電スイッチ）
１００，１００Ａ      冷温パターン表示体
１０１    角穴
１１０，１１１      歯
１１２    丸穴
【図１】
2004178543.tif 000003
【図２】
2004178543.tif 000004
【図３】
2004178543.tif 000005
【図４】
2004178543.tif 000006
【図５】
2004178543.tif 000007
【図６】
2004178543.tif 000008
【図７】
2004178543.tif 000009
【図８】
2004178543.tif 000010
【図９】
2004178543.tif 000011